(57)【特許請求の範囲】
【請求項１】
撮像場所に対応付けて複数の撮像日時を格納し、前記撮像場所及び前記撮像日時に対応付けて、それぞれの前記撮像場所及び前記撮像日時に応じた画像及び音声の少なくとも一つを格納する格納部と、
撮像装置から撮像画像を受信する受信部と、
前記撮像画像の撮像場所及び撮像日時に基づいて前記格納部から画像及び音声の少なくとも一つを検索する検索部と、
前記検索部が検索した画像及び音声の少なくとも一つを、前記受信部が受信した前記撮像画像と合成して合成画像を生成する合成部と、
前記合成画像を外部に出力する出力部と
を備え、
前記出力部は、複数の箇所で前記撮像画像が撮像された場合に、予め定めた順に前記合成画像を送信する画像処理装置。
【請求項２】
前記撮像装置は、撮像時に音声を収録し、
前記合成部は、前記検索部が検索した音声を、前記撮像装置が撮像時に収録した音声と合成して合成音声を生成し、
前記出力部は、前記合成部が生成した合成音声を外部に出力する
請求項１に記載の画像処理装置。
【請求項３】
前記検索部が検索した画像は、動画であり、
前記合成部は、前記検索部が検索した動画を、前記撮像画像に合成する
請求項１に記載の画像処理装置。
【請求項４】
前記受信部が受信した前記撮像画像を格納する撮像画像格納部
を更に備え、
前記受信部は、前記撮像画像を、前記撮像画像中に撮像された被撮像者を認識するためのＩＤに対応付けて受信し、
前記撮像画像格納部は、前記撮像画像を前記ＩＤに対応付けて格納する
請求項１に記載の画像処理装置。
【請求項５】
前記出力部は、前記合成画像の送信先を、前記ＩＤに対応付けて格納し、前記ＩＤに対応付けられた送信先に前記合成画像を送信する
請求項４に記載の画像処理装置。
【請求項６】
画像を撮像する撮像装置と、画像処理装置とを備える画像処理システムであって、
前記画像処理装置は、
撮像場所に対応付けて複数の撮像日時を格納し、前記撮像場所及び前記撮像日時に対応付けて、それぞれの前記撮像場所及び前記撮像日時に応じた画像及び音声の少なくとも一つを格納する格納部と、
前記撮像装置から撮像画像を受信する受信部と、
前記撮像画像の撮像場所及び撮像日時に基づいて前記格納部から画像及び音声の少なくとも一つを検索する検索部と、
前記検索部が検索した画像及び音声の少なくとも一つを、前記受信部が受信した前記撮像画像と合成して合成画像を生成する合成部と、
前記合成画像を外部に出力する出力部と
を有し、
前記出力部は、前記撮像画像が複数の箇所で撮像された場合に、予め定めた順に前記合成画像を送信する画像処理システム。
【請求項７】
前記撮像装置は、複数あり、
前記複数の撮像装置の各々は、予め定められた場所に設けられており、
前記検索部は、複数の撮像装置のいずれによって前記撮像画像が撮像されたかに基づいて、前記撮像画像の前記撮像場所を特定する
請求項６に記載の画像処理システム。
【請求項８】
前記受信部が受信した前記撮像画像を格納する撮像画像格納部
を更に備え、
前記撮像装置は、前記撮像画像中に撮像された被撮像者を認識し、前記撮像画像の被撮像者を認識するためのＩＤを前記撮像画像に付与し、
前記受信部は、前記撮像画像を、前記ＩＤに対応付けて受信し、
前記撮像画像格納部は、前記撮像画像を前記ＩＤに対応付けて格納する
請求項６に記載の画像処理システム。
【請求項９】
前記出力部は、前記合成画像の送信先を、前記ＩＤに対応付けて格納し、前記ＩＤに対応付けられた送信先に前記合成画像を送信する
請求項８に記載の画像処理システム。
【請求項１０】
コンピュータで実行可能なプログラムであって、
前記コンピュータに、撮像場所に対応付けて複数の撮像日時を格納し、前記撮像場所及び前記撮像日時に対応付けて、それぞれの前記撮像場所及び前記撮像日時に応じた画像及び音声の少なくとも一つを格納部に格納させる格納モジュールと、
前記コンピュータに、撮像装置から撮像画像を受信させる画像受信モジュールと、
前記コンピュータに、前記撮像画像の撮像場所及び撮像日時に基づいて前記格納部から画像及び音声の少なくとも一つを検索させる検索モジュールと、
前記コンピュータに、前記検索モジュールが検索させた画像及び音声の少なくとも一つを、前記画像受信モジュールが受信させた前記撮像画像と合成させて合成画像を生成させる合成モジュールと、
前記コンピュータに、前記合成画像を外部に出力させる出力モジュールと
を備え、
前記出力モジュールは、前記コンピュータに、複数の箇所で前記撮像画像が撮像された場合に、予め定めた順に前記合成画像を送信させるプログラム。
【請求項１１】
前記コンピュータに、前記画像受信モジュールが受信させた前記撮像画像を格納させる撮像画像格納モジュール
を更に備え、
前記受信モジュールは、前記コンピュータに、前記撮像画像を、前記撮像画像中に撮像された被撮像者を認識するためのＩＤに対応付けて受信させ、
前記撮像画像格納モジュールは、前記コンピュータに、前記撮像画像を前記ＩＤに対応付けて格納させる
請求項１０に記載のプログラム。
【請求項１２】
画像及び音声の少なくとも一つを位置情報に対応付けて格納する格納部と、
撮像装置から撮像画像を受信する受信部と、
前記撮像装置の撮像場所に基づいて前記格納部から前記画像及び音声の少なくとも一つを検索する検索部と、
前記検索された画像及び音声の少なくとも一つを、前記受信部が受信した前記撮像画像と合成して合成画像を生成する合成部と、
前記合成画像を外部に出力する出力部と
を備え、
前記出力部は、複数の箇所で前記撮像画像が撮像された場合に、予め定めた順に前記合成画像を送信する画像処理装置。
【請求項１３】
前記出力部は、複数の箇所で前記撮像画像が撮像された場合に、撮像日時順に前記合成画像を送信する
請求項１２に記載の画像処理装置。
【請求項１４】
前記出力部は、複数の箇所で前記撮像画像が撮像された場合に、被撮像者によって指定された撮像場所の順に前記合成画像を送信する
請求項１２に記載の画像処理装置。
【請求項１５】
画像を撮像する撮像装置と、画像処理装置とを備える画像処理システムであって、
前記画像処理装置は、
画像及び音声の少なくとも一つを位置情報に対応付けて格納する格納部と、
前記撮像装置から撮像画像を受信する受信部と、
前記撮像装置の撮像場所に基づいて前記格納部から前記画像及び音声の少なくとも一つを検索する検索部と、
前記検索された画像及び音声の少なくとも一つを、前記受信部が受信した前記撮像画像と合成して合成画像を生成する合成部と、
前記合成画像を外部に出力する出力部と
を有し、
前記出力部は、前記撮像画像が複数の箇所で撮像された場合に、予め定めた順に前記合成画像を送信する画像処理システム。
【請求項１６】
前記出力部は、複数の箇所で前記撮像画像が撮像された場合に、撮像日時順に前記合成画像を送信する
請求項１５に記載の画像処理システム。
【請求項１７】
前記出力部は、複数の箇所で前記撮像画像が撮像された場合に、被撮像者によって指定された撮像場所の順に前記合成画像を送信する
請求項１５に記載の画像処理システム。
【請求項１８】
コンピュータで実行可能なプログラムであって、
前記コンピュータに、画像及び音声の少なくとも一つを位置情報に対応付けて格納部に格納させる格納モジュールと、
前記コンピュータに、撮像装置から撮像画像を受信させる画像受信モジュールと、
前記コンピュータに、前記撮像装置の撮像場所に基づいて前記格納部から前記画像及び音声の少なくとも一つを検索させる検索モジュールと、
前記コンピュータに、前記検索された画像及び音声の少なくとも一つを、前記画像受信モジュールが受信した前記撮像画像と合成させて合成画像を生成させる合成モジュールと、
前記コンピュータに、前記合成画像を外部に出力させる出力モジュールと
を備え、
前記出力モジュールは、前記コンピュータに、前記撮像画像が複数の箇所で撮像された場合に、予め定めた順に前記合成画像を送信させるプログラム。
【請求項１９】
前記出力モジュールは、前記コンピュータに、複数の箇所で前記撮像画像が撮像された場合に、撮像日時順に前記合成画像を送信させる
請求項１８に記載のプログラム。
【請求項２０】
前記出力モジュールは、前記コンピュータに、複数の箇所で前記撮像画像が撮像された場合に、被撮像者によって指定された撮像場所の順に前記合成画像を送信させる
請求項１８に記載のプログラム。
【発明の詳細な説明】
【０００１】
【発明の属する技術分野】
本発明は、画像処理装置、画像処理システム、及び画像処理プログラムに関する。特に本発明は、画像処理装置、画像処理システム、及び画像処理プログラムに関する。
【０００２】
【従来の技術】
従来、テーマパーク等では、定点に設置されたカメラを用いて被撮像者を自動的に撮像することが行われている。被撮像者は、カメラが撮像した画像から自分が撮像された画像を選択し、購入していた。
【０００３】
【発明が解決しようとする課題】
しかし、このシステムでは、自分が撮像されてた写真を手に入れるためには、撮像が行われたテーマパークで写真又は撮像画像が格納された記録媒体を受け取るか、もしくはテーマパークが発行した領収書を受け取り、後日領収書をテーマパークに提示することによって写真又は記録媒体を受け取る必要があった。従って、被撮像者は、被撮像者の都合のよい時間に、都合のよい場所で、撮像画像を入手することが困難であった。更に、従来のシステムでは、撮像画像に画像又は音声等の付加価値を加えることにより、付加価値の高い形式で撮像画像を被撮像者に提供することが困難であった。
【０００４】
そこで本発明は、上記の課題を解決することのできる画像処理装置、画像処理システム、及び画像処理プログラムを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、画像処理装置は、画像及び音声の少なくとも一つを位置情報に対応付けて格納する格納部と、撮像装置から撮像画像を受信する受信部と、撮像装置の撮像場所に基づいて格納部から画像及び音声の少なくとも一つを検索する検索部と、検索された画像及び音声の少なくとも一つを、受信部が受信した撮像画像と合成して合成画像を生成する合成部と、合成画像を外部に出力する出力部とを備える。
【０００６】
更に、撮像装置は、撮像時に音声を収録し、合成部は、撮像装置が収録した収録音声と、格納部に格納された音声とを合成して合成音声を生成し、出力部は、合成音声を外部に出力することが好ましい。また、格納部から検索された画像は動画であり、合成部は、動画を撮像画像に合成することが好ましい。更に、検索部は、撮像画像が撮像された撮像時刻を用いて画像及び音声の少なくとも一つを格納部から検索することが好ましい。
【０００７】
更に、画像処理装置は、受信部が受信した撮像画像を格納する撮像画像格納部を更に備え、受信部は、撮像画像を、撮像画像中に撮像された被撮像者を認識するためのＩＤに対応付けて受信し、撮像画像格納部は、撮像画像をＩＤに対応付けて格納することが好ましい。また、出力部は、合成画像の送信先を、ＩＤに対応付けて格納し、ＩＤに対応付けられた送信先に合成画像を送信することが好ましい。また、入出力部は、複数の箇所で撮像画像が撮像された場合に、予め定めた順に合成画像を送信することが好ましい。
【０００８】
本発明の第２の形態によると、画像処理システムは、画像を撮像する撮像装置と、画像処理装置とを備え、画像処理装置は、画像及び音声の少なくとも一つを位置情報に対応付けて格納する格納部と、撮像装置から撮像画像を受信する受信部と、撮像装置の撮像場所に基づいて格納部から画像及び音声の少なくとも一つを検索する検索部と、検索された画像及び音声の少なくとも一つを、受信部が受信した撮像画像と合成して合成画像を生成する合成部と、合成画像を外部に出力する出力部とを有する。
【０００９】
更に、撮像装置は、複数あり、複数の撮像装置の各々は、予め定められた場所に設けられており、検索部は、複数の撮像装置のいずれによって撮像画像が撮像されたかに基づいて、撮像場所を特定することが好ましい。また、画像処理システムは、受信部が受信した撮像画像を格納する撮像画像格納部を更に備え、撮像装置は、撮像画像中に撮像された被撮像者を認識し、撮像画像の被撮像者を認識するためのＩＤを撮像画像に付与し、受信部は、撮像画像を、ＩＤに対応付けて受信し、撮像画像格納部は、撮像画像をＩＤに対応付けて格納することが好ましい。
【００１０】
また、出力部は、合成画像の送信先を、ＩＤに対応付けて格納し、ＩＤに対応付けられた送信先に合成画像を送信することが好ましい。更に、入出力部は、撮像画像が複数の箇所で撮像された場合に、予め定めた順に合成画像を送信することが好ましい。
【００１１】
本発明の第３の形態によると、コンピュータで実行可能なプログラムであって、画像処理プログラムは、コンピュータに画像及び音声の少なくとも一つを位置情報に対応付けて格納させる格納モジュールと、コンピュータに撮像装置から撮像画像を受信させる画像受信モジュールと、コンピュータに撮像装置の撮像場所に基づいて格納部から画像及び音声の少なくとも一つを検索させる検索モジュールと、コンピュータに検索された画像及び音声の少なくとも一つを、画像受信モジュールが受信した撮像画像と合成させて合成画像を生成させる合成モジュールと、コンピュータに合成画像を外部に出力させる出力モジュールとを備えることが好ましい。
【００１２】
なお上記の発明の概要は、本発明の必要な特徴の全てを列挙したものではなく、これらの特徴群のサブコンビネーションも又発明となりうる。
【００１３】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１４】
図１は、本発明の一実施例である画像処理システム２００の構成の概略の一例を示す。画像処理システム２００は、複数の撮像装置２６Ａ、２６Ｂ、及び２６Ｃと、ルータ２４と、画像処理装置１０と、端末３２、３４、及び３６とを備える。
【００１５】
画像処理装置１０は、端末３２、３４、及び３６の要求に基づいて、ルータ２４から受信した撮像画像及び収録音声の少なくとも一つに処理を施し、端末３２、３４、及び３６に処理済みの撮像画像及び収録音声を送信する。
【００１６】
画像処理装置１０は、画像及び音声を処理するサーバ等のコンピュータである。画像処理装置１０は、受信部１２、撮像画像格納部１４、コンテンツデータベース２０、検索部１６、合成部１８、及び入出力部２２を備える。
【００１７】
受信部１２は、撮像装置２６Ａ、２６Ｂ、及び２６Ｃから撮像画像及び収録音声の少なくとも一つを受信する。撮像装置２６Ａ、２６Ｂ、及び２６Ｃは、撮像画像中に撮像された被撮像者３０を認識し、ＩＤを撮像画像に付与するので、受信部１２は、受信した撮像画像を、画像中に撮像された被撮像者３０を認識するためのＩＤに対応付けて受信する。受信部１２は、被撮像者３０が有する携帯電話２８からＩＤを取得してもよい。更に、受信部１２は、撮像装置の識別番号、例えば２６Ａ、２６Ｂ、及び２６Ｃを撮像装置２６Ａ、２６Ｂ、及び２６Ｃから受信する。更に、受信部１２は、撮像画像が撮像された日時を撮像装置２６Ａ、２６Ｂ、及び２６Ｃから取得する。
【００１８】
撮像画像格納部１４は、受信部１２が受信した撮像画像及び収録音声の少なくとも一つをＩＤ、撮像日時、及び撮像場所に対応付けて格納する。
【００１９】
画像及び音声の少なくとも一つを格納する格納部の一部としてコンテンツデータベース２０は、画像及び音声の少なくとも一つを位置情報に対応付けて予め格納する。位置情報は、撮像装置２６Ａ、２６Ｂ、及び２６Ｃが設置された場所の情報であってもよい。
【００２０】
検索部１６は、撮像画像の撮像場所に基づいてコンテンツデータベース２０から画像及び音声の少なくとも一つを検索する。複数の撮像装置２６Ａ、２６Ｂ、及び２６Ｃの各々は、予め定められた場所に設けられているので、検索部１６は、受信部１２が受信した撮像装置の識別番号２６Ａ、２６Ｂ、及び２６Ｃに基づいて複数の撮像装置２６Ａ、２６Ｂ、及び２６Ｃのいずれによって撮像画像が撮像されたかを判断することによって、画像の撮像場所を特定する。
【００２１】
合成部１８は、検索部１６により検索された画像及び音声の少なくとも一つを、受信部１２が受信した撮像画像及び収録音声と合成して合成画像を生成する。コンテンツデータベース２０が音声を格納する場合、合成部は、撮像画像格納部１０に格納された収録音声と、コンテンツデータベース２０に格納された音声とを合成して合成音声を生成することができる。また、コンテンツデータベース２０が動画を格納する場合、検索部１６は、画像としてコンテンツデータベース２０から動画を検索し、合成部１８は、検索部１６が検索した動画を撮像画像に合成する。
【００２２】
入出力部２２は、端末３２、３４、及び３６から画像が要求されたときに、検索部１６に画像が要求されたことを通知する。そのため、端末３２、３４、及び３６は、検索部１６に画像及び音声を要求することによって撮像画像格納部１４及びコンテンツデータ２０から所望の画像及び音声を選択することができる。更に、入出力部２２は、合成部１８が生成した合成画像を端末３２、３４、及び３６に出力する。入出力部２２は、複数の箇所で撮像画像が撮像された場合に、予め定めた順に合成画像を送信してもよい。例えば、撮像装置２６Ａ、２６Ｂ、及び２６Ｃが、テーマパークの予め定められた箇所に設置されており、テーマパークの各箇所を見る順番が予め定められている場合に、入出力部２２は、予め定めた順番通りに合成画像を送信する。
【００２３】
端末３２、３４、及び３６は、携帯電話又は携帯情報端末であってもよく、コンピュータであってもよい。端末３２、３４、及び３６は、画像処理装置１０から取得した画像を紙の媒体上に印刷してもよく、銀塩フィルム上にプリントしてもよい。また、端末３２、３４、及び３６は、画像処理装置１０から取得した画像を、フロッピーディスク、ＣＤ−ＲＯＭ、ＤＶＤ等の光学記録媒体、ＭＤ等の磁気記録媒体、ＰＤ等の光磁気記録媒体、テープ媒体、磁気記録媒体、ＩＣカードやミニチュアーカードなどの半導体メモリー等の記録媒体に格納してもよい。
【００２４】
複数の撮像装置２６Ａ、２６Ｂ、及び２６Ｃの各々は、予め定められた場所に設けられている。撮像装置２６Ａ、２６Ｂ、及び２６Ｃは、被撮像者３０を各設置場所で撮像する。この際、撮像装置２６Ａ、２６Ｂ、及び２６Ｃは、撮像時の音声を収録してもよい。また、撮像装置２６Ａ、２６Ｂ、及び２６Ｃは、撮像画像中に撮像された被撮像者３０を認識し、被撮像者３０を識別するためのＩＤを撮像画像に付与する。また、撮像装置２６Ａ、２６Ｂ、及び２６Ｃは、撮像画像を撮像した日時を取得する。ルータ２４は、撮像装置２６Ａ、２６Ｂ、及び２６Ｃが撮像した撮像画像及び収録音声を画像処理装置１０に送信する。
【００２５】
画像処理システム２００は、上記の構成を有するので、被撮像者３０が、端末３２、３４、又は３６から撮像画像を要求した場合に、画像処理装置１０は、被撮像者３０を認識するためのＩＤ、撮像場所、及び撮像日時を用いて、撮像画像を検索することができる。従って、被撮像者３０は、被撮像者３０の都合のよい時間に、都合のよい場所で、撮像画像を容易に入手することができる。更に、画像処理装置１０は、撮像画像とコンテンツデータベースに格納された画像及び音声の少なくとも一つとを合成し、端末３２，３４、及び３６に送信することにより、被撮像者３０に合成画像を提供することができる。
【００２６】
図２は、撮像画像格納部１４のデータ構成の一例を表形式で示す。撮像画像格納部１４は、撮像画像及び収録音声の少なくとも一つを、撮像画像中に撮像された被撮像者３０を認識するためのＩＤ、撮像画像の撮像日時、及び各撮像装置の識別番号２６Ａ、２６Ｂ、２６Ｃに対応付けて格納する。
【００２７】
例えば、撮像画像及び収録音声ＰＳ１〜ＰＳ３には、ＩＤが００１番の被撮像者３０が撮像されている。図２では、ＩＤが００１番の被撮像者３０は、テーマパーク内を、撮像装置２６Ａの設置場所、撮像装置２６Ｂの設置場所、及び撮像装置２６Ｃの設置場所の順番に移動して撮像装置２６Ａ、２６Ｂ、及び２６Ｃによって撮像される。撮像画像及び収録音声ＰＳ１は、撮像装置２６Ａによって２００１年１月１日９時０分に撮像されている。すなわち、撮像画像及び収録音声ＰＳ１は、撮像装置２６Ａが設置された場所において撮像日時２００１年１月１日９時０分に撮像されている。更に、撮像画像及び収録音声ＰＳ２は、撮像装置２６Ｂによって２００１年１月１日９時１０分に撮像されている。更に、撮像画像及び収録音声ＰＳ３は、撮像装置２６Ｃによって撮像日時２００１年１月１日９時２０分に撮像されている。
【００２８】
このように、撮像画像格納部１４は、撮像画像を、被撮像者３０のＩＤ、撮像日時、撮像装置の識別番号に対応付けて格納するので、検索部１６は、被撮像者３０のＩＤ、撮像時刻、撮像装置の識別番号を用いて、撮像画像を検索することができる。例えば、ＩＤが００１番の被撮像者３０は、端末３４から画像処理装置１０にアクセスし、００１番のＩＤが付与された撮像画像を撮像画像格納部１４から検索することによって自分が撮像されている撮像画像を検索することができる。
【００２９】
更に、撮像画像格納部１４は、撮像画像及び収録音声を撮像日時に対応付けて格納するので、被撮像者３０は、画像処理装置１０から日時順に撮像画像を検索し、閲覧することができる。更に、撮像画像格納部１４は、撮像画像及び収録音声を撮像場所に対応付けて格納する。従って、被撮像者３０が撮像画像を指定された撮像場所の順に提供するように画像処理装置１０に指示した場合に、画像処理装置１０は、合成画像を被撮像者３０が指定した撮像場所の順番に提供することができる。
【００３０】
図３は、コンテンツデータベース２０のデータ構成の一例を表形式で示す。コンテンツデータベース２０は、静止画、動画、及び音声を、撮像日時、撮像装置、及び撮像場所に対応付けて予め格納する。例えば、コンテンツデータベース２０は、撮像時刻「２００１年１月１日９時」、撮像装置「２６Ａ」、撮像場所「お台場」に対応付けて、静止画「レインボーブリッジ」、動画「ゆりかもめ」、音声「海の波の音」を格納する。すなわち、コンテンツデータベース２０は、画像の撮像場所及び撮像時刻に応じた静止画、動画、及び音声を予め格納する。
【００３１】
従って、検索部１６は、撮像画像格納部１４から２００１年１月１日９時に撮像装置２６Ａによって撮像された撮像画像を取得した場合、コンテンツデータベース２０から撮像日時２００１年１月１日９時０分及び撮像装置２６Ａに対応付けられた静止画「レインボーブリッジ」、動画「ゆりかもめ」、及び音声「海の波の音」を取得する。そのため、検索部１６は、撮像画像格納部１４が取得した撮像画像及び収録音声に撮像日時及び撮像装置の点について関連する画像及び音声の少なくとも一つを、コンテンツデータベース２０から検索することができる。
【００３２】
画像処理装置１０が図２に示した撮像画像格納部１４及び図３に示したコンテンツデータベース２０を有するので、合成部１６は、撮像画像格納部１４及びコンテンツデータベース２０から得られた画像を合成することによって、付加価値を高くした合成画像を生成することができる。例えば、撮像画像が、２００１年１月１日９時０分に撮像装置２６Ａによって撮像された場合、検索部１６は、コンテンツデータベース２０から静止画「レインボーブリッジ」、動画「ゆりかもめ」、及び音声「海の波の音」を取得する。合成部１８は、被撮像者３０を撮像した画像をレインボーブリッジの静止画及びゆりかもめの動画の背景にはめ込むように合成することによって合成画像を生成する。
【００３３】
図４は、入出力部２２のデータ構成の一例を表形式で示す。入出力部２２は、合成画像の被撮像者３０のメールアドレス等の送信先を、ＩＤに対応付けて格納する。例えば、入出力部２２は、００１番のＩＤに対応付けて送信先１を格納する。従って、入出力部２２は、ＩＤに対応付けられた送信先に合成画像を送信することによって撮像画像を被撮像者３０に送信することができる。
【００３４】
従って、画像処理システム２００は、画像処理装置１０を用いることによって被撮像者３０の都合のよい時間に、都合のよい場所で、撮像画像を提供することができる。更に、画像処理システム２００は、画像処理装置１０を用いて撮像画像に画像及び音声の少なくとも一つを合成することにより、付加価値の高い形式で撮像画像を被撮像者３０に提供することができる。
【００３５】
図５は、画像処理装置１０のハードウェア構成を示す図である。画像処理装置１０は、それぞれバス７３０に接続されたＣＰＵ７００と、ＲＯＭ７０２と、ＲＡＭ７０４と、通信インタフェース７０６と、ハードディスクドライブ７０８と、データベースインタフェース７１０と、フロッピーディスクドライブ７１２と、ＣＤ−ＲＯＭドライブ７１４とを備える。ＣＰＵ７００は、ＲＯＭ７０２及びＲＡＭ７０４に格納されたプログラムに基づいて動作する。通信インタフェース７０６は、インターネット１０を介して外部と通信する。データベースインタフェース７１０は、データベースへのデータの書込、及びデータベースの内容の更新を行う。格納装置の一例としてのハードディスクドライブ７０８は、設定情報及びＣＰＵ７００が動作するプログラムを格納する。
【００３６】
フロッピーディスクドライブ７１２はフロッピーディスク７２０からデータまたはプログラムを読み取りＣＰＵ７００に提供する。ＣＤ−ＲＯＭドライブ７１４はＣＤ−ＲＯＭ７２２からデータまたはプログラムを読み取りＣＰＵ７００に提供する。通信インタフェース７０６は、インターネット１０に接続してデータを送受信する。データベースインタフェース７１０は、各種データベース７２４と接続してデータを送受信する。
【００３７】
ＣＰＵ７００が実行するソフトウエアは、フロッピーディスク７２０またはＣＤ−ＲＯＭ７２２等の記録媒体に格納されて利用者に提供される。記録媒体に格納されたソフトウエアは圧縮されていても非圧縮であっても良い。ソフトウエアは記録媒体からハードディスクドライブ７０８にインストールされ、ＲＡＭ７０４に読み出されてＣＰＵ７００により実行される。
【００３８】
記録媒体に格納されて提供されるソフトウエア、即ちハードディスクドライブ７０８にインストールされるソフトウェアは、機能構成として、コンピュータに画像及び音声の少なくとも一つを位置情報に対応付けて格納させる格納モジュールと、コンピュータに撮像装置から撮像画像を受信させる画像受信モジュールと、コンピュータに撮像装置の撮像場所に基づいてデータベースから画像及び音声の少なくとも一つを検索させる検索モジュールと、コンピュータに検索された画像及び音声の少なくとも一つを、画像受信モジュールが受信した撮像画像と合成させて合成画像を生成させる合成モジュールと、コンピュータに合成画像を外部に出力させる出力モジュールとを備える。
【００３９】
各モジュールがコンピュータに働きかけて、ＣＰＵ７００に行わせる処理は、それぞれ本実施形態の画像処理装置１０における、対応する部材の機能及び動作と同一であるので説明を省略する。
【００４０】
図５に示した、記録媒体の一例としてのフロッピーディスク７２０またはＣＤ−ＲＯＭ７２２には、本出願で説明した全ての実施形態における画像処理装置１０の動作の一部または全ての機能を格納することができる。
【００４１】
これらのプログラムは記録媒体から直接ＲＡＭに読み出されて実行されても、一旦ハードディスクドライブにインストールされた後にＲＡＭに読み出されて実行されても良い。更に、上記プログラムは単一の記録媒体に格納されても複数の記録媒体に格納されても良い。又、符号化した形態で格納されていてもよい。
【００４２】
記録媒体としては、フロッピーディスク、ＣＤ−ＲＯＭの他にも、ＤＶＤ等の光学記録媒体、ＭＤ等の磁気記録媒体、ＰＤ等の光磁気記録媒体、テープ媒体、磁気記録媒体、ＩＣカードやミニチュアーカードなどの半導体メモリー等を用いることができる。又、専用通信ネットワークやインターネットに接続されたサーバシステムに設けたハードディスクまたはＲＡＭ等の格納装置を記録媒体として使用し、通信網を介してプログラムを画像処理装置１０に提供してもよい。
【００４３】
図６は、図１の撮像装置２６Ａ、２６Ｂ、及び２６Ｃの処理フローの一例を示す。撮像装置２６Ａ、２６Ｂ、及び２６Ｃは、被撮像者３０を撮像し、撮像時に音声を収録する（Ｓ１０）。撮像装置２６Ａ、２６Ｂ、及び２６Ｃは、撮像画像に撮像されている被撮像者３０を認識し（Ｓ１２）、撮像画像に被撮像者３０を認識するためのＩＤを付与する（Ｓ１４）。最後に、撮像装置２６Ａ、２６Ｂ、及び２６Ｃは、撮像画像をＩＤと共に画像処理装置１０に送信する（Ｓ１６）。
【００４４】
図７は、図１の画像処理装置１０の処理フローの一例を示す。受信部１２は、撮像画像及び収録音声の少なくとも一つを撮像装置２６Ａ、２６Ｂ、及び２６Ｃから受信する（Ｓ１８）。次に、撮像画像格納部１４は、撮像画像及び収録音声の少なくとも一つを撮像日時及び撮像場所に対応付けて格納する（Ｓ１９）。次に、検索部１６は、撮像場所又は撮像日時を用いて撮像画像及び収録音声を撮像画像格納部１４から検索し、画像及び音声をコンテンツデータベース２０から検索する（Ｓ２０）。次に、合成部１８は、コンテンツデータベース２０から検索された画像及び音声の少なくとも一つを、撮像画像格納部１４から検索された撮像画像及び収録音声の少なくとも一つと合成して合成画像を生成する（Ｓ２２）。入出力部２２は、合成部１８が生成した合成画像を端末３２、３４、又は３６に出力する（Ｓ２４）。
【００４５】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００４６】
【発明の効果】
上記説明から明らかなように、本発明によれば被撮像者の都合のよい時間に、都合のよい場所で、被撮像者に付加価値の高い撮像画像を提供することができる。
【図面の簡単な説明】
【図１】本発明の一実施例である画像処理システム２００の構成の概略の一例を示す。
【図２】撮像画像格納部１４のデータ構成の一例を表形式で示す。
【図３】コンテンツデータベース２０のデータ構成の一例を表形式で示す。
【図４】入出力部２２のデータ構成の一例を表形式で示す。
【図５】画像処理装置１０のハードウェア構成を示す図である。
【図６】図１の撮像装置２６Ａ、２６Ｂ、及び２６Ｃの処理フローの一例を示す。
【図７】図１の画像処理装置１０の処理フローの一例を示す。
【符号の説明】
１０・・・画像処理装置、１２・・・受信部、１４・・・撮像画像格納部、１６・・・検索部、１８・・・合成部、２０・・・コンテンツデータベース、２２・・・入出力部、２４・・・ルータ、２６Ａ、２６Ｂ、２６Ｃ・・・撮像装置、２８・・・携帯電話、３０・・・撮像者、３２、３４、３６・・・端末、７００・・・ＣＰＵ、７０２・・・ＲＯＭ、７０４・・・ＲＡＭ、７０６・・・通信インタフェース、７０８・・・ハードディスクドライブ、７１０・・・データベースインタフェース、７１２・・・フロッピーディスクドライブ、７１４・・・ＣＤ−ＲＯＭドライブ、７２０・・・フロッピーディスク、７２２・・・ＣＤ−ＲＯＭ、７２４・・・各種データベース、７３０・・・バス、９００・・・インターネット
【図１】
0003853678.tif 000002
【図２】
0003853678.tif 000003
【図３】
0003853678.tif 000004
【図４】
0003853678.tif 000005
【図５】
0003853678.tif 000006
【図６】
0003853678.tif 000007
【図７】
0003853678.tif 000008